【手続補正書】
【提出日】平成23年6月24日(2011.6.24)
【手続補正１】
【補正対象書類名】特許請求の範囲
【補正対象項目名】全文
【補正方法】変更
【補正の内容】
【特許請求の範囲】
【請求項１】
レドックス開始剤系によって硬化し、調節可能な可使時間を有し、
Ａ）以下の
ａ）５〜９９．９質量％の、２０℃で＜２質量％の水中溶解度を有し、単官能性（メタ）アクリレートモノマー、スチレンおよびビニルエステルからなる群から選択される１つ以上のモノマー；
ｂ）０〜７０質量％のモノマーａ）と共重合できる１つ以上のモノマー；
ｃ）０〜２０質量％の、１つ以上の二重または多重ビニル性不飽和化合物；
ｄ）０〜２０質量％の、２０℃で＞２質量％の水中溶解度を有する１つ以上の極性モノマー；および
ｅ）０．１〜９５質量％の、式Ｉ、
【化１】
2010532809.tif 000001
[式中、
−Ｒ1は、水素またはメチルであり；
−Ｘは、１〜１８個の炭素原子を有し、ヒドロキシル基および／またはＣ1−Ｃ4アルコキシ基により一置換もしくは多置換されていてもよい直鎖もしくは分岐アルカンジイル基であり；
−Ｒ2は、水素、または１〜１２個の炭素原子を有し、ヒドロキシル基もしくはＣ1−Ｃ4アルコキシ基によって一置換または多置換されていてもよい直鎖もしくは分岐アルキル基であり、ここでヒドロキシル基は（メタ）アクリル酸で部分エステル化されていることができる；
−Ｒ3、Ｒ4、Ｒ5、Ｒ6およびＲ7は、それぞれ互いに独立して、水素、または１〜８個の炭素原子を有し、ヒドロキシル基で一置換もしくは多置換されていることができる直鎖もしくは分岐アルキルまたはアルコキシ基であり；
ここで、基Ｒ3〜Ｒ7のうちの２つは互いに結合して、５〜７員環を形成することができ、フェニル基と縮合芳香族環系を形成することができる]の少なくとも１つの活性剤を含む混合物の重合によって得ることができる、０．８〜６９．９４質量％のエマルジョンポリマー（ここで、活性剤ｅ）は、共有結合によってエマルジョンポリマー中に組み込まれ；エマルジョンポリマーＡ）は、コア−シェル重合の手法で、構成成分ａ）〜ｅ）をコアとして第１ステップで重合し、続いて構成成分ａ）〜ｄ）の混合物をシェルとして少なくとも１つのさらなるステップで重合させることによって得ることができ；成分ａ）〜ｅ）をあわせると、混合物Ａ）の重合性構成成分は１００質量％になる）と、
Ｂ）３０〜９９．１４質量％の１つ以上のエチレン性不飽和モノマーと、
Ｃ）０．０５〜１０質量％のペルオキシドと、場合により
Ｄ）０〜６０質量％の不飽和オリゴマーと、場合により
Ｅ）０．０１〜２質量％の重合抑制剤、および場合により
Ｆ）０〜８００質量部の助剤および添加剤と
（ここで、構成成分Ａ）＋Ｂ）＋Ｃ）＋Ｄ）＋Ｅ）の合計は１００質量％になり、Ｆ）の量は、Ａ）＋Ｂ）＋Ｃ）＋Ｄ）＋Ｅ）の合計１００質量部に基づく）
を含む二成分もしくは多成分系であって、
成分Ａ）および成分Ｃ）を一緒に貯蔵し、成分Ｂ）の少なくとも１つの構成成分を、成分Ａ）およびＣ）とは別に貯蔵し、この別に貯蔵される成分Ｂ）の構成成分は、成分Ｂ）の構成成分の、ポリマーＡ）を膨潤させる能力が、ポリマーＡ）のポリマー固定活性剤ｅ）が成分Ｃ）と反応できるために十分高くなるように選択される二成分もしくは多成分系。
【請求項２】
５〜４５質量％の成分Ａ）、
４０〜９４．８９質量％の成分Ｂ）、
０．１〜５質量％の成分Ｃ）、
０〜４０％質量％の成分Ｄ）；
０．０１〜０．２質量％の成分Ｅ）；および
０〜８００質量部の成分Ｆ）
（構成成分Ａ）＋Ｂ）＋Ｃ）＋Ｄ）＋Ｅ）の合計は１００質量％になり、Ｆ）の量は、Ａ）＋Ｂ）＋Ｃ）＋Ｄ）＋Ｅ）の合計１００質量部に基づく）を含む、請求項１に記載の二成分または多成分系。
【請求項３】
ポリマーＡ）において、活性剤ｅ）の式（Ｉ）中で、基Ｒ1がメチルである、請求項１または２に記載の二成分または多成分系。
【請求項４】
ポリマーＡ）において、活性剤ｅ）の式（Ｉ）中で、Ｘが、エチレン基−ＣＨ2−ＣＨ2−または２−ヒドロキシプロピレン基−ＣＨ2−ＣＨ（ＯＨ）−ＣＨ2−である、請求項１から３までのいずれか１項に記載の二成分または多成分系。
【請求項５】
ポリマーＡ）において、活性剤ｅ）の式（Ｉ）中で、Ｒ2が、メチル、エチルおよび２−ヒドロキシエチルからなる群から選択される、請求項１から４までのいずれか１項に記載の二成分または多成分系。
【請求項６】
ポリマーＡ）において、活性剤ｅ）の式（Ｉ）中で、基Ｒ3〜Ｒ7のうちの１つが、メチルであり、残りの４つの基がそれぞれ水素であるか、または基Ｒ3〜Ｒ7のうちの２つがメチルであり、残りの３つの基がそれぞれ水素である、請求項１から５までのいずれか１項に記載の二成分または多成分系。
【請求項７】
ポリマーＡ）において、成分ａ）が、１つ以上のメタクリレートモノマーおよび／またはアクリレートモノマーからなる、請求項１から６までのいずれか１項に記載の二成分または多成分系。
【請求項８】
ポリマーＡ）において、成分ｅ）が、１０〜６０質量％、好ましくは２０〜５０質量％の量で存在する、請求項１から７までのいずれか１項に記載の二成分または多成分系。
【請求項９】
ポリマーＡ）において、成分ａ）が、メチルメタクリレートである、請求項７に記載の二成分または多成分系。
【請求項１０】
構成成分ａ）〜ｅ）を水性エマルジョン中で重合させることによってポリマーＡ）を得ることができる、請求項１から９までのいずれか１項に記載の二成分または多成分系。
【請求項１１】
コアの構成成分ａ）〜ｅ）および１以上のシェルの構成成分ａ）〜ｄ）が、結果として得られるポリマーＡ）において、少なくとも１つのシェルのガラス転移温度ＴGSが、コアのガラス転移温度ＴGCよりも高くなるように選択され、その際、ガラス転移温度ＴGがＥＮ  ＩＳＯ１１３５７にしたがって測定される、請求項１から１０までのいずれか１項に記載の二成分または多成分系。
【請求項１２】
シェルの構成成分ａ）〜ｄ）が、結果として得られるポリマーＡ）において、少なくとも１つのシェルのガラス転移温度ＴGSが、１００℃よりも高くなるように選択され、その際、ガラス転移温度ＴGSがＥＮ  ＩＳＯ１１３５７にしたがって測定される、請求項１１に記載の二成分または多成分系。
【請求項１３】
成分Ｂ）が、メチルトリグリコールメタクリレートまたはエチルトリグリコールメタクリレート、ブチルジグリコールメタクリレート、テトラヒドロフリルメタクリレート、ベンジルメタクリレート、イソボルニルメタクリレート、１，４−ブタンジオールジメタクリレート、ヒドロキシプロピルメタクリレート、トリメチロールプロパントリメタクリレート、３〜１０モルのエチレンオキシドを有するエトキシル化トリメチロールプロパンのトリメタクリレート、２〜１０モルのエチレンオキシドを有するエトキシル化ビスフェノールＡのジメタクリレートおよび／または１〜１０個のエチレンオキシド単位を有するポリエチレングリコールジメタクリレートからなる群から選択される１つ以上の化合物を含む、請求項１から１２までのいずれか１項に記載の二成分もしくは多成分系。
【請求項１４】
成分Ａ）およびＣ）とは別に貯蔵される成分Ｂ）の構成成分が、メチルメタクリレート（ＭＭＡ）である、請求項１から１３までのいずれか１項に記載の二成分もしくは多成分系。
【請求項１５】
成分Ｃ）が、過酸化ジベンゾイルおよび／またはジラウリルペルオキシドを含む、請求項１から１４までのいずれか１項に記載の二成分または多成分系。
【請求項１６】
接着剤、注型用樹脂、フロアコーティングおよび他の反応性コーティング、シーリング組成物、含浸組成物、包埋組成物、人工大理石および他の人造石を製造するための組成物、反応性ペグ用組成物、歯科用組成物、セラミック物品用多孔性プラスチック型または不飽和ポリエステル樹脂およびビニルエステル樹脂における、請求項１から１５までのいずれか１項に記載の二成分または多成分系の使用。